(57)【要約】  本発明は、パウダー吐出容器に関するもので、ボタン部の回転方向によってボタン部の吐出ホールとステムの連通ホールが連通するか、行き違うように構成され、開閉部材がボタン部の内部でステムに挿入し設置され、ボタン部の回転によって開閉部材が昇降され、ステムの移動ホールを開閉するように構成されることにより、開閉部材の紛失危険がないだけでなく、使用時ごとに開閉部材を着脱するなどの不便さを解消することで、使用上の利便性を提供できることが特徴である。【特許請求の範囲】
【請求項１】
パウダーが貯蔵される容器本体と、
前記容器本体の上部に回転可能に位置し、ユーザーの加圧可否によって昇降し、その一側にパウダーが吐出するように吐出ホールが形成されるボタン部と、
前記ボタン部の内側に位置し、ボタン部の移動によって一緒に昇降され、前記ボタン部の操作によってパウダーが移動するように、その上部に移動ホールが形成され、その側面には、前記移動ホールを通じて移動するパウダーが、前記吐出ホールを通じて吐出するように、前記吐出ホールと連通する連通ホールが形成されるステムと、
前記ステムの内側に結合され、パウダーが移動するパウダー移動通路と空気が移動する空気移動通路とに分割するように形成される内容物移動部と、
前記ステムの上部に挿入し設置され、前記ボタン部の一側回転時には上昇し、前記移動ホールを開放させ、前記ボタン部の他側回転時には下降し、前記移動ホールを閉塞させる開閉部材と、を含み、
前記ボタン部の加圧によって、前記容器本体の内部圧力が変化し、前記パウダーの移動通路と空気移動通路を通じて、パウダーと空気がそれぞれ前記内容物移動部の内部に移動し、パウダーが空気圧力によって、前記吐出ホールを通じて噴射するように構成されることを特徴とするパウダー吐出容器。
【請求項２】
前記容器本体の上部に結合され、その内部上側に前記容器本体の上部内周面を覆うように下部に延設するように形成される延設部を具備する支持体と、をさらに含むことを特徴とする請求項1に記載のパウダー吐出容器。
【請求項３】
前記ステムの下部には、前記ステムの昇降によって一緒に移動し、前記容器本体内部の圧力を変化させるように、前記延設部の内周面に密着するピストンが結合されることを特徴とする請求項2に記載のパウダー吐出容器。
【請求項４】
前記ステムの上端には、前記開閉部材の昇降をガイドするように、その外周面の両側に螺旋状ガイド溝が形成される突出部が設けられることを特徴とする請求項1に記載のパウダー吐出容器。
【請求項５】
前記ボタン部の内部上側には、前記開閉部材の昇降をガイドするガイド管が設けられ、前記ガイド管の両側には、前記開閉部材の垂直移動をガイドする垂直ガイド溝が形成されることを特徴とする請求項1に記載のパウダー吐出容器。
【請求項６】
前記開閉部材は、
前記開閉部材が下降した状態で、前記ステムの内周面に密着し、前記移動ホールを閉塞し、前記開閉部材が上昇した状態では、前記ステムの内周面と離隔し、前記移動ホールを開放させる第1シーリング部と、
前記移動ホールを通じて移動するパウダーが前記連通ホールではなく、前記ステムの上部に移動し、流出することを防ぐように、前記ステムの上部内周面に密着するように形成される第2シーリング部と、
前記垂直ガイド溝、及び、螺旋状ガイド溝に挿入され、前記ボタン部の回転により前記垂直ガイド溝、及び、螺旋状ガイド溝に沿って移動し、前記開閉部材の昇降をガイドするガイド突起と、を含むことを特徴とする請求項5に記載のパウダー吐出容器。
【請求項７】
前記ステムの外周面には、前記ボタン部の回転時に、前記ステムが一緒に回転することを防止するように、長さ方向に沿って回転防止突起が形成され、前記支持体の内周面には、前記回転防止突起が挿入される回転防止溝が形成されることを特徴とする請求項2に記載のパウダー吐出容器。
【請求項８】
前記支持体の上部外周面両側には、前記ボタン部が昇降されることができるように、空間を形成するポンピングガイド溝、及び、前記ボタン部の下方向移動を防止するポンピング防止部が具備されることを特徴とする請求項7に記載のパウダー吐出容器。
【請求項９】
前記ボタン部の内周面には、前記ボタン部の一側回転時に、前記ポンピングガイド溝の直上方に位置し、前記ポンピングガイド溝に沿って昇降され、前記ボタン部の他側回転時には、前記ポンピング防止部の直上方に位置し、前記ボタン部の下降を防止するポンピングガイド突起が具備されることを特徴とする請求項8に記載のパウダー吐出容器。
【請求項１０】
前記内容物移動部の空気移動通路の端には、空気を圧縮して噴射することができるように、空気移動通路より口径が小さい空気圧縮ホールが形成されることを特徴とする 請求項1に記載のパウダー吐出容器。
【請求項１１】
前記パウダー移動通路の下部には、前記容器本体に貯蔵されたパウダーを前記パウダー移動通路に移動させるパウダー吸入管が結合され、前記パウダー吸入管は、前記ボタン部の加圧可否によって、上下に移動し、前記容器本体に貯蔵されたパウダーを撹拌することを特徴とする請求項1に記載のパウダー吐出容器。
【発明の詳細な説明】
【技術分野】
【０００１】
本発明は、パウダー吐出容器に関するもので、より詳細には、ボタン部の回転方向によって、ボタン部の吐出ホールとステムの連通ホールが連通するか、行き違うように構成され、開閉部材がボタン部の内部でステムに挿入しインストールされ、ボタン部の回転によって開閉部材が昇降され、ステムの移動ホールを開閉するように構成されることにより、開閉部材の紛失危険がないだけでなく、使用する時ごとに開閉部材を着脱するなどの不便さを解消することで、使用上の利便性を提供することができるパウダー吐出容器に関するものである。
【背景技術】
【０００２】
一般的にパウダーは、肌に塗る時、使用感が良く、水に強い撥水性を持っており、化粧をする時、爽やかさを感じることはもちろん、化粧した状態が自然で女性たちが色調化粧時、多く使用する。
【０００３】
パウダーを用いて、化粧をする時には、パウダー容器の容器本体に収容されているパウダーを、別々に備えられているパフにつけて化粧をするようになり、このような化粧品のパウダー容器が登録特許第10-1171305号（以下、特許文献1という。）に開示されている。
【０００４】
特許文献1は、内部にパウダーが充填される空間を提供することで、上面は開放され、下面では空気流入ホール10hが形成される容器本体10と、前記容器本体10の底枠に下部枠の部分が接するように構成された円錐形状を形成する弾性材で構成された新収縮要素でポンピング作用によって、外部の空気を吸入して中心上部に形成された空気排出ホール31hを通じて、その外側に満たされたパウダーが充填された空間に排出させるダイヤフラム31、及び、このダイヤフラム31の上部中心に具備され、空気排出ホール31hの開閉を断続する開閉ボタン35で構成されたポンピング手段30、前記ポンピング手段30の上側には、外周面が容器本体10の内壁に接した状態で、昇降は可能で回転は防止されるように具備されることで、パウダーパウダーが通過される複数の下部ホール40hが形成される固定板40と、前記固定板40に対して規制された回転が可能なように具備されるもので、下部ホール40hと対応する上部ホール50hを形成し回転する時、下部ホール40hに対する開閉を断続する可動板50と、前記容器本体10の開放された上面を遮蔽するようにねじ締結されるもので、内側面が可動板50の外側面に摩擦接触するよう具備され、容器本体10と締結する時、可動板50を連動して回転させるストッパー20、を含んで構成されることが特徴である。
【０００５】
特許文献1は、栓20を開けた状態で、パフ60で可動板50を軽く叩くとか、加圧する操作をする時、パウダーが噴出され、パフ60に塗布されるように構成され、パウダーの噴出のためには、片手で容器本体10を把持した状態で、他の手でパフ60を把持し、可動板50を加圧する必要があるため、ユーザーに煩わしさをもたらすようになる問題があった。
【０００６】
前記のような問題点を解消するために、本出願人によって2014年01月24日に出願され、2014年03月21日に登録された「パウダー吐出容器」が登録特許第10-1378719号（以下、特許文献2とする。）に開示されている。
【０００７】
特許文献2は、パウダーが貯蔵される容器本体と、前記容器本体の上部に位置し、ユーザーの加圧可否によって、昇降され、その一側にパウダーを吐出するように吐出ホールが形成されるボタン部、前記ボタン部の下部に結合され、ボタン部の移動によって一緒に移動し、その内側にパウダーが移動するパウダー移動通路と空気が移動する空気の移動通路とに分割するように形成されるステムと、を含み、前記ボタン部の加圧によって前記容器本体内部の圧力が変化し、前記パウダーの移動通路と空気移動通路を通じ、パウダーと空気がそれぞれ前記ステムの内部に移動して、パウダーが空気圧力によって、前記吐出ホールを通じて噴射するように構成されることを特徴とする。
【０００８】
特許文献2は、ボタン部加圧をする時、パウダーを簡単にスプレー方式でユーザーの肌に直接噴射して使用できるように構成されることや、吐出ホールを開閉する開閉部材がボタン部に着脱可能なように構成されることによって、開閉部材の紛失危険があるだけでなく、開閉部材で吐出ホールを閉塞鎖しない状態で、容器を振るとか、落とせば、吐出ホールを通じてパウダー内容物が流出する問題点があった。
【０００９】
また、使用時に開閉部材をボタン部から脱離した後に使用し、使用が完了すれば、ボタン部に開閉部材をまた結合するなど、使用上の不便さをもたらすという問題点があった。
【発明の概要】
【発明が解決しようとする課題】
【００１０】
本発明は、上述した問題点を解決するために、創作されたもので、本発明の目的は、ボタン部の回転方向によって、ボタン部の吐出ホールとステムの連通ホールが連通したり、行き違うように構成され、開閉部材がボタン部の内部でステムに挿入し設置され、ボタン部の回転によって開閉部材が昇降され、ステムの移動ホールを開閉するように構成されることにより、開閉部材の紛失危険がないだけでなく、使用時ごとに開閉部材を着脱するなどの不便さを解消することにより、使用上の利便性を提供することができるパウダー吐出容器を提供することである。
【課題を解決するための手段】
【００１１】
前記のような問題点を解決するために、本発明に係るパウダー吐出容器は、パウダーが貯蔵される容器本体と、前記容器本体の上部に回転可能に位置し、ユーザーの加圧可否によって昇降し、その一側にパウダーが吐出するように吐出ホールが形成されるボタン部と、前記ボタン部の内側に位置し、ボタン部の移動によって一緒に昇降され、前記ボタン部の操作によってパウダーが移動するように、上部に移動ホールが形成され、その側面には、前記移動ホールを通じて移動するパウダーが前記吐出ホールを通じて吐出するように、前記吐出ホールと連通する連通ホールが形成されるステムと、前記ステムの内側に結合され、パウダーが移動するパウダー移動通路と空気が移動する空気移動通路とに分割するように形成される内容物移動部と、前記ステムの上部に挿入し設置され、前記ボタン部の一側の回転時には上昇し、前記移動ホールを開放させ、前記ボタン部の他側の回転時には下降し、前記移動ホールを閉塞させる開閉部材と、を含み、
前記ボタン部の加圧によって、前記容器本体内部の圧力が変化し、前記パウダーの移動通路と空気移動通路を通じて、パウダーと空気がそれぞれ前記内容物移動部の内部に移動して、パウダーが空気圧力によって、前記吐出ホールを通じて噴射するよう構成されることを特徴とする。
【００１２】
また、前記容器本体の上部に結合され、その内部上側に前記容器本体の上部内周面を覆うように、下部に延設するように形成される延設部を具備する支持体と、をさらに含むことを特徴とする。
【００１３】
また、前記ステムの下部には、前記ステムの昇降によって一緒に移動し、前記容器本体内部の圧力を変化させるように、前記延設部の内周面に密着されるピストンが結合されることを特徴とする。
【００１４】
また、前記ステムの上部には、前記開閉部材の昇降をガイドするように、外周面の両側に螺旋状のガイド溝が形成される突出部が設けられることを特徴とする。
【００１５】
また、前記ボタン部の内部上側には、前記開閉部材の昇降をガイドするガイド管が設けられ、前記ガイド管の両側には、前記開閉部材の垂直移動をガイドする垂直ガイド溝が形成されることを特徴とする。
【００１６】
また、前記開閉部材は、前記開閉部材が下降した状態で、前記ステムの内周面に密着し、前記移動ホールを閉塞し、前記開閉部材が上昇した状態では、前記ステムの内周面と離隔し、前記移動ホールを開放させる第1シーリング部と、前記移動ホールを通じて移動するパウダーが、前記連通ホールではなく、前記ステムの上部に移動し、流出することを防ぐように、前記ステムの上部内周面に密着するように形成される第2シーリング部と、前記垂直ガイド溝、及び、螺旋状ガイド溝に挿入され、前記ボタン部の回転により前記垂直ガイド溝、及び、螺旋状ガイド溝に沿って移動し、前記開閉部材の昇降をガイドするガイド突起と、を含むことを特徴とする。
【００１７】
また、前記ステムの外周面には、前記ボタン部の回転時に、前記ステムが一緒に回転することを防止するように長さ方向に沿って回転防止突起が形成され、前記支持体の内周面には、前記回転防止突起が挿入される回転防止溝が形成されることを特徴とする。
【００１８】
また、前記支持体の上部外周面両側には、前記ボタン部が昇降されることができるように空間を形成するポンピングガイド溝、及び、前記ボタン部の下方向移動を防止するポンピング防止部が具備されることを特徴とする。
【００１９】
また、前記ボタン部の内周面には、前記ボタン部の一側回転時に、前記ポンピングガイド溝の直上方に位置し、前記ポンピングガイド溝に沿って昇降され、前記ボタン部の他側回転時には、前記ポンピング防止部の直上方に位置し、前記ボタン部の下降を防止するポンピングガイド突起が具備されることを特徴とする。
【００２０】
また、前記内容物移動部の空気移動通路の端には、空気を圧縮して噴射することができるように、空気移動通路より口径が小さい空気圧縮ホールが形成されることを特徴とする。
【００２１】
また、前記パウダー移動通路の下部には、前記容器本体に貯蔵されたパウダーを、前記パウダー移動通路に移動させるパウダー吸入管が結合され、前記パウダー吸入管は、前記ボタン部の加圧可否によって、上下に移動し、前記容器本体に貯蔵されたパウダーを攪拌することを特徴とする。
【発明の効果】
【００２２】
以上のように、本発明によれば、ボタン部の回転方向によって、ボタン部の吐出ホールとステムの連通ホールが連通するか、行き違うように構成され、開閉部材がボタン部の内部でステムに挿入し設置され、ボタン部の回転によって開閉部材が昇降され、ステムの移動ホールを開閉するように構成されることにより、開閉部材の紛失危険がないだけでなく、使用時ごとに開閉部材を着脱するなどの不便さを解消することで、使用上の利便性を提供することができる長所がある。
【図面の簡単な説明】
【００２３】
【図１】本発明の好ましい実施例によるパウダー吐出容器の構成を示す分解斜視図である。
【図２】本発明の好ましい実施例によるパウダー吐出容器の構成を示す組立斜視図である。
【図３】本発明の好ましい実施例によるパウダー吐出容器の構成を示す組立断面図である。
【図４】本発明の好ましい実施例によるパウダー吐出容器のボタン部の回転によるポンピングガイド突起の位置を示す説明図である。
【図５】本発明の好ましい実施例によるパウダー吐出容器のステムの回転防止突起と支持体の回転防止溝の組立状態を示す説明図である。
【図６】本発明の好ましい実施例によるパウダー吐出容器の動きを示す状態図である。
【図７】本発明の好ましい実施例によるパウダー吐出容器の動きを示す状態図である。
【図８】本発明の好ましい実施例によるパウダー吐出容器の動きを示す状態図である。
【発明を実施するための形態】
【００２４】
以下、図面を参照して、本発明を詳細に説明する。各図面に提示された同一の参照符号は同一の部材を示す。
【００２５】
図1は、本発明の好ましい実施例によるパウダー吐出容器の構成を示す分解斜視図であり、図2は、本発明の好ましい実施例によるパウダー吐出容器の構成を示す組立斜視図であり、図3は、本発明の好ましい実施例によるパウダー吐出容器の構成を示す組立断面図である。
【００２６】
図4は、本発明の好ましい実施例によるパウダー吐出容器のボタン部の回転によるポンピングガイド突起の位置を示す説明図であり、図5は、本発明の好ましい実施例によるパウダー吐出容器のステムの回転防止突起と支持体の回転防止溝の組立状態を示す説明図である。
【００２７】
図1〜5を参照すると、本発明の好ましい実施例によるパウダー吐出容器は、容器本体100、ボタン部200、ステム300、内容物移動部400、開閉部材500が含まれる。
【００２８】
前記容器本体100は、粉末形態のパウダーが貯蔵されるもので、上部には貯蔵されたパウダーが排出されることができるように排出口110が形成される。
【００２９】
前記容器本体100の上部には、前記排出口110に結合され、排出口110の上端を閉塞する支持体600が結合され、本発明において、前記支持体600の内部上側には、前記容器本体100の上部内周面を覆うように、下部に延設するように形成される延設部610が具備されることが特徴として、前記延設部610の内側には、延設部610の内周面に密着された状態で昇降され、前記容器本体100の内部圧力を変化させるピストン700が設置される。
【００３０】
また、前記支持体600の上部外周面両側には、ボタン部200が昇降されることができるように空間を形成するポンピングガイド溝620とボタン部200の下方向移動を防止するポンピング防止部630が具備され、ポンピングガイド溝620、及び、ポンピング防止部630には、ボタン部200が一側または他側に回転が完了した状態で、ボタン部200が任意に回転することを防止するようにボタン部200のポンピングガイド突起230を固定させる固定突起640が具備されることが好ましい。
【００３１】
一方、前記支持体600の内周面には、ボタン部200の回転により、ステム300が一緒に回転することを防止するように、ステム300の回転防止突起340が挿入される回転防止溝650が形成される。
【００３２】
また、前記支持体600の上部には、ステム300に弾性力を付与し、ボタン部200を復元させるスプリング（S）を支持するようにスプリング支持部660が具備される。
【００３３】
一方、前記容器本体100の上部には、前記支持体600を覆うようにショルダー部800が結合され、前記ショルダー部800は、後述するボタン部200が挿入され、昇降されるように中空に形成され、その外側にはボタン部200の誤作動を防止するためにボタン部200を覆うオーバーキャップ900が結合される。
【００３４】
前記ボタン部200は、前記容器本体100の上部からステム300に回転可能に結合され、ユーザーの加圧可否によって昇降され、ステム300に圧力を伝達するもので、その一側にパウダーが吐出されることができるように吐出ホール210が形成される。
【００３５】
本発明において、前記ボタン部200の内部上側には、開閉部材500の昇降をガイドするガイド管220が具備されることを特徴として、前記ガイド管220の両側には、開閉部材500の垂直移動をガイドするように開閉部材500のガイド突起530が挿入される垂直ガイド溝221が形成される。
【００３６】
また、前記ボタン部200の内周面には、ボタン部200の昇降移動を断続するポンピングガイド突起230が具備される。前記ポンピングガイド突起230は、普段保管状態では、支持体600のポンピング防止部630の直上方に位置し、ボタン部200の降下を防止する一方、使用のためにボタン部200を一側に回転時には、ポンピング防止部630から外れ、前記ポンピングガイド溝620の直上方に位置し、ポンピングガイド溝620に沿って移動して、ボタン部200の昇降を可能とする。
【００３７】
前記ボタン部200の下部には、ユーザーがボタン部200を押す加圧力を解除する時、上方向に弾性力を提供するスプリング（S）が設置され、前記スプリング（S）は、後述するステム300と、前記支持体600のスプリング支持部660の間に設置され、ステム300に弾性力を提供することで、ボタン部200が復元されることを可能とする。
【００３８】
前記ステム300は、前記ボタン部200の下部に結合され、ボタン部200の移動によって一緒に移動するものである。前記ボタン部200の操作によってパウダーが吐出ホール210の方向に移動することができるように、その内側上部に移動ホール310が形成され、その側面には、前記移動ホール310を通じて移動するパウダーが前記吐出ホール210を通じて吐出するように吐出ホール210と連通する連通ホール320が形成される。
【００３９】
本発明において、前記ステム300の下部には、ステム300の昇降によって一緒に移動し、前記容器本体100の内部の圧力を変化させるように、前記延設部610の内周面に密着されるピストン700を結合することが特徴である。前記ピストン700がボタン部200の加圧可否によって、延設部610の内周面に密着した状態で昇降されることにより、容器本体100内部の圧力を変化させ、パウダー及び、空気が内容物移動部400のパウダー移動通路410及び、空気移動通路420を通じて上部に移動し、ボタン部200の吐出ホール210を通じて吐出が行われる。
【００４０】
一方、本発明において、前記ステム300の上端には、開閉部材500の昇降をガイドするように、外周面の両側に螺旋状のガイド溝331が形成される突出部330が具備されることが特徴として、ボタン部200の一側または他側回転する時、開閉部材500のガイド突起530が、前記螺旋状ガイド溝331に沿って移動することにより、開閉部材500の昇降が行われる。
【００４１】
また、前記ステム300の外周面には、ボタン部200の回転する時、一緒に回転することを防止するように支持体600の回転防止溝650に挿入される回転防止突起340が形成される。
【００４２】
前記内容物移動部400は、前記ステム300の内側に結合され、パウダー及び、空気が移動する空間を形成するもので、本発明において、前記内容物移動部400の内側は、パウダーが移動するパウダー移動通路410と空気が移動する空気の移動通路420とに分割するように形成されることが特徴である。
【００４３】
前記パウダー移動通路410及び、空気移動通路420の上端は、パウダーの移動通路410及び、空気移動通路420を通じて移動するパウダー、及び、空気がステム300を経て吐出ホール210に移動することができるように、ステム300の移動ホール310と連通するように構成される。
【００４４】
一方、本発明において、前記空気移動通路420の先端には、空気移動通路420より口径が小さい空気圧縮ホール421が形成されることを特徴とする。空気移動通路420を通じて移動する空気が、空気圧縮ホール421を通過し、空気を圧縮して噴射することにより、パウダーの移動通路410を通じて移動するパウダーを吐出ホール210を通じて噴射することができる。
【００４５】
また、前記パウダー移動通路410の下部には、前記容器本体100に貯蔵されたパウダーを、前記パウダー移動通路410に移動させるためのパウダー吸入管411が結合される。前記パウダー吸入管411は、前記ボタン部200の加圧可否によるステム300が昇降する時、ステム300と一緒に上下に移動し、容器本体100に貯蔵されたパウダーを攪拌しながらパウダーを移動させるように構成される。
【００４６】
前記パウダー吸入管411は、上下に移動する過程で、容器本体100の底面と干渉が発生しないように曲がる軟質の材質で構成されることが好ましい。
【００４７】
前記開閉部材500は、前記ステム300の上部に挿入し設置され、ボタン部200の一側回転時には上昇し、前記移動ホール310を開放させ、ボタン部200の他側回転時には下降し、前記移動ホール310を閉塞させるように構成されるもので、第1シーリング部510、第2シーリング部520、ガイド突起530を含む。
【００４８】
前記第1シーリング部510は、前記開閉部材の昇降によってステム300の内周面に密着されるとか、離隔され、移動ホール310を開閉させるもので、前記開閉部材500が下降した状態では、前記ステム300の内周面に密着され、前記移動ホール310を閉塞させるように構成され、前記開閉部材500が上昇した状態では、前記ステム300の内周面から離隔され、前記移動ホール310を開放させるように構成される。
【００４９】
前記第2シーリング部520は、前記第1シーリング部510の上部に位置し、ステム300の上部内周面に密着した状態で昇降されるもので、連通ホール320より高く位置するステム300の内側上部空間を閉塞させることにより、前記移動ホール310を通じて移動するパウダー及び、空気が前記連通ホール320ではない、前記ステム300の上部に移動し、流出することを防止する。
【００５０】
前記ガイド突起530は、前記開閉部材500の上部外周面両側に一対が突出するように形成され、前記ボタン部200の一側または他側回転によって開閉部材500の昇降を可能にするもので、前記垂直ガイド溝221及び、螺旋状ガイド溝331に挿入され、前記ボタン部200の回転により前記垂直ガイド溝221及び、螺旋状ガイド溝331に沿って移動し、開閉部材500の昇降をガイドするように構成される。
【００５１】
以下では、図6〜8を参照して、本発明の好ましい実施例によるパウダー吐出容器のパウダー吐出過程を説明する。図6〜8は、本発明の好ましい実施例によるパウダー吐出容器の動きを示す状態図である。
【００５２】
まず、図6を参照すると、開閉部材500が下降した状態で、ボタン部200を一側に回転させると、開閉部材500のガイド突起530が垂直ガイド溝221及び、螺旋状ガイド溝331に沿って上昇し、前記開閉部材500の上昇が行われる。これにより、ステム300の内周面に密着していた開閉部材500の第1シーリング部510がステム300の内周面から離隔され、移動ホール310を開放させる。
【００５３】
前記のように移動ホール310が開放されると、連通ホール320及び吐出ホール210との連通が行われるようになり、この状態で、図7に示すように、ボタン部200を加圧すると、ボタン部200の下部に結合されたステム300が下降するようになる。この時、ステム300の下部に結合されたピストン700が延設部610の内周面に密着した状態で下降することにより、容器本体100の内部の圧力が変化する。
【００５４】
前記のような過程を通じて、容器本体100の内部の圧力が変化すると、容器本体100に貯蔵された空気が空気移動通路420を経て吐出ホール210に吐出される過程で、パウダー吸入管411を通じてパウダーの吸入が行われ、パウダーがパウダー移動通路410に移動することになり、空気移動通路420を通じて移動する空気が空気圧縮ホール421を通過し、空気を圧縮し噴射することにより、パウダー移動通路410を通じて移動するパウダーを吐出ホール210を通じて噴射することが可能となる。
【００５５】
一方、図8に示すように、前記開閉部材500が上昇した状態で、ボタン部200を他側方向に回転すると、開閉部材500のガイド突起530が垂直ガイド溝221及び螺旋状ガイド溝331に沿って下降し、前記開閉部材500の下降が行われる。これにより、開閉部材500の第1シーリング部510がステム300の内周面に密着され、移動ホール310を閉塞させる。
【００５６】
前記のように、第1シーリング部510によって移動ホール310が閉塞されると、内容物移動部400を通じて移動するパウダーが上部に移動することが不可能になるので、容器を振るとか、落としても吐出ホールを通じてパウダー内容物が流出することを防止することができる。第1シーリング部510によって移動ホール310が閉塞された状態では、連通ホール320と吐出ホール210が行き違うように構成される。
【００５７】
本発明は、開閉部材500がボタン部200の内部でステム300に挿入し設置され、ボタン部200の回転によって開閉部材500が昇降され、移動ホール310を開閉するように構成することにより、開閉部材500の紛失危険がないだけでなく、使用時ごとに開閉部材500を脱着するなどの不便さを解消することで、使用上の利便性を提供することが可能である。
【００５８】
図面と明細書で最適の実施例を開示する。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、様々な変形及び均等な他の実施例が可能であることを理解すべきである。また、本発明の真の技術的保護範囲は、添付された特許請求の範囲の技術的思想によって定められる。
【図１】
2019519253.tif 000002
【図２】
2019519253.tif 000003
【図３】
2019519253.tif 000004
【図４（ａ）】
2019519253.tif 000005
【図４（ｂ）】
2019519253.tif 000006
【図５】
2019519253.tif 000007
【図６】
2019519253.tif 000008
【図７】
2019519253.tif 000009
【図８】
2019519253.tif 000010
【国際調査報告】
2019519253.tif 000011
2019519253.tif 000012
2019519253.tif 000013
2019519253.tif 000014